(57)【特許請求の範囲】
【請求項１】
打込装置であって、
１つのシリンダ（３）にガイドされている、釘部材を加工対象物に打込むための１つの打込みピストン（４）と、
前記打込みピストン（３）の上に配設されている、燃焼ガスで充填可能な１つの燃焼室（１）と、
を備え、
前記燃焼室（１）は、１つの円筒状の燃焼室壁（２）と、当該燃焼室壁（２）に対して１つの軸に沿って移動可能な底部（７）を備え、
前記底部（７）は、周方向に延在する溝（１２）の上に当該溝に設置されたシーリング（８）を有し、当該シーリングは径方向で前記燃焼室壁（２）に接しており、
軸方向の前記シーリング（８）の前側の面（１１ａ）または後側の面（１０ａ）は、それぞれ前記溝（１２）の終端面（Ｅ２）または終端面（Ｅ１）の上に当該軸の方向に突出している、
ことを特徴とする打込装置
【請求項２】
前記シーリング（８）の前記前側の面（１１ａ）または前記後側の面（１０ａ）は、それぞれ前記底部（７）の終端面（Ａ２）または終端面（Ａ１）の上に前記軸の方向に突出していることを特徴とする、請求項１に記載の打込装置。
【請求項３】
前記前側の面（１０ａ，１１ａ）の径方向内側の端部は、１つの鋭いエッジの終端部（１０ｂ，１１ｂ）を備え、３０°〜１２０°の角度を有する１つのエッジ（１０ｂ，１１ｂ）を備えることを特徴とする、請求項１または２に記載の打込装置。
【請求項４】
前記燃焼室底部（７）に、および／または前記燃焼室壁部（２）の領域に、前記シーリング（８）によって拭われた水の排出のための１つの凹部（１６）が配設されていることを特徴とする、請求項１乃至３のいずれか１項に記載の打込装置。
【請求項５】
前記シーリング（８）は両側で前記軸の方向に、前記溝（１２）の前記終端面（Ｅ１，Ｅ２）の上に突出していることを特徴とする、請求項１乃至４のいずれか１項に記載の打込装置。
【請求項６】
前記シーリング（８）は、周方向に開放された１つのシーリングリング（１０，１１）を備えることを特徴とする、請求項１乃至５のいずれか１項に記載の打込装置。
【請求項７】
前記シーリングリング（１０，１１）は、固いシーリング材からなっていることを特徴とする、請求項６に記載の打込装置。
【請求項８】
軸方向に前後に続いて配設された２つのシーリングリング（１０，１１）が設けられており、これら２つのシーリングリング（１０，１１）は、前記溝（１２）に設置されていることを特徴とする、請求項６または７に記載の打込装置。
【請求項９】
前記シーリングリング（１０，１１）の下に１つの弾力性のある支持部材（１４）が配設されていることを特徴とする、請求項６乃至８のいずれか１項に記載の打込装置。
【請求項１０】
前記打込装置は、１つのハウジング（１９）を備え、前記燃焼室壁（２）は当該ハウジング（１９）と堅固に結合されていることを特徴とする、請求項１乃至９のいずれか１項に記載の打込装置。
【請求項１１】
前記打込装置は、１つのハウジングを備え、前記底部は当該ハウジングと堅固に結合されていることを特徴とする、請求項１乃至１０のいずれか１項に記載の打込装置。
【請求項１２】
前記底部は、前記燃焼室壁に対して、前記底部と前記燃焼室壁との間に、当該燃焼室の１つの吸／排気開口部を形成するまで、移動可能となっていることを特徴とする、請求項１乃至１１のいずれか１項に記載の打込装置。
【発明の詳細な説明】
【技術分野】
【０００１】
本発明は１つの打込装置に関し、具体的には請求項１の上位概念部に記載の１つの携帯型打込装置である。
【背景技術】
【０００２】
特許文献１は、加工対象物への釘の打込み用の打込装置を記載しており、この打込み装置では、燃焼室に燃焼ガスが供給され、ここで点火工程の後、打込みピストンがこの釘に向かって加速される。この燃焼室は、１つの移動可能な燃焼室底部を有し、ここで１つの移動棒がこの燃焼室のハウジングを貫通するフィードスルーを用いてガイドされており、上記の移動可能な燃焼室底部と結合されている。この燃焼室底部は、周回するシーリング部によって燃焼室壁に対してシーリングされている。
【先行技術文献】
【特許文献】
【０００３】
【特許文献１】独国特許出願公開第１０２２６８７８Ａ１号明細書
【発明の概要】
【発明が解決しようとする課題】
【０００４】
本発明の課題は、低い環境温度でも、とりわけ信頼性の高い動作を可能とする打込み装置を提供することである。
【課題を解決するための手段】
【０００５】
この課題は、最初に述べた請求項１に示す特徴を有する本発明による打込装置により解決される。溝の終端面の前に軸方向にシーリングが出ているすなわち突出していることにより、上記の燃焼室底部が移動する際に、燃焼室壁上に付着する水が効果的に拭ぐわれ、過度にこの溝の中に入り込むことがない。以上により、特に氷点下の温度で、溝領域における水が凍結することを防ぐことができる。
【０００６】
本装置が適切に加工対象物の上に正常に着地されていない場合には、通常上記の燃焼室壁に対して移動可能な、この燃焼室の底部は、この燃焼室がたとえば安全装置の一部として潰れることを可能とする。このような装置では、燃焼室は、毎回打込工程の前にこの着地によって拡張し、こうして毎回燃焼室壁の滑りが起こる。
【０００７】
本発明の通常好ましい実施形態では、上記のシーリングの前面は、軸方向において上記の燃焼室底部の終端面の上に突出している。これは上記の拭われた水を底部と燃焼室壁との間の間隙でとりわけ効果的に排出することを可能とする。
【０００８】
通常有利には、この拭われた水の排出は、上記の前面の径方向内側の端部に１つの鋭いエッジの終端部を備えることにより支援される。好ましくは、この鋭いエッジの端部は、３０°〜１２０°の角度を有し、とりわけ好ましくは７０°〜１１０°の角度を有する。このようなエッジは、上記の拭われた水に対する堰を形成し、この水はこのエッジを回って上記の燃焼室底部と燃焼室との間の間隙の中へまったく侵入することができない。
【０００９】
上記の水の排出をさらに改善するために、上記の燃焼室底部に、および／または上記の燃焼室壁部の領域に、上記のシーリングによって拭われた水の排出のための１つの凹部が配設されている。これはこの燃焼室壁に凝縮した大量の水の排出も可能とする。
【００１０】
有利には原則として上記のシーリングは、上記の溝の終端面に渡って両側で突出しており、こうして上記の底部の軸方向の両移動方向において上記の間隙の中へ水が侵入することが避けられる。簡単な実施形態においては、このシーリングは、特に対称的に形成されていてよい。
【００１１】
本発明の１つのとりわけ好ましい実施形態においては、上記のシーリングは、周方向に開放された１つのシーリングリングを備える。これにより剛性のある材料からなるシーリングリングも上記の溝の中に設置することができる。ここで原則として、好ましくはこのシーリングリングは１つの固いシーリング材からなっている。ここで固いシーリング材とは、シーリング状態において、弾性的に変形していないか、あるいは目視で弾性的に変形していない材料である。１つのこのような材料は、たとえばスチール、銅、またはアルミニウムのような金属であってよく、または固い、特にファイバー強化プラスチックであってもよい。このため区別されなければならないのは、ゴムやシリコーンのような柔らかいシーリング材であり、これらはシーリングとして使用された場合に、充分なシーリング効果を達成するためにそれ自体が変形する。
【００１２】
高いシーリング効果の観点から、軸方向で前後に配設された少なくとも２つのシーリングリングが設けられる。とりわけ好ましくは、これら２つのシーリングリングが上記の溝に設置されることであり、こうして小さな構造高が達成される。この際大きな圧力でも良好なシーリング性を確実にするために、シーリングリングの開いた突当部（Stoesse）は、互いにずれて配向されている。
【００１３】
ここでシーリング効果の改善のため、このシーリングリングの下に１つの弾力性のある支持部材が配設されている。このような支持部材は、具体的には１つの周回する、上記の溝に設置される１つの弾力性のある材料からなるリングであってよく、たとえば１つのエラストマーまたは１つの板ばねからなっていてよい。この支持部材は、１つの周回するリングの代わりに、複数の個別の弾力性のある部材から成っていてもよい。
【００１４】
１つの好ましい実施形態においては、本打込装置は、１つのハウジングを備え、このハウジングと上記の燃焼室壁は堅固に結合されている。この場合上記の燃焼室底部が、この打込装置においては１つの可動な部品となっている。本打込装置の１つの代替の実施形態は、１つのハウジングを備え、このハウジングとこの底部は堅固に結合されている。この場合上記の燃焼室壁が、この打込装置においては１つの可動な部品となっている。
【００１５】
好ましくは上記の燃焼室底部は、この底部と上記の燃焼室壁との間に、この燃焼室の空気および／または燃料用の、１つの吸／排気開口部を形成するまで、移動可能となっている。とりわけ好ましくは、この底部およびこの燃焼室壁は、この燃焼室の１つの吸／排気バルブを形成している。
【００１６】
本発明のさらなる利点および特徴は、以下に記載する実施形態例ならびにこれらに関連する請求項で明らかになる。
【００１７】
以下に、本発明の１つの好ましい実施形態例が記載され、これに付随する図を参照して詳細に説明される。
【図面の簡単な説明】
【００１８】
【図１】本発明による１つの打込装置の３次元的な全体図を、切断された燃焼室と共に示す。
【図２】図１に示す燃焼室の断面拡大図を示す。
【図３】図１に示す燃焼室の、シーリングの領域における可動な底部の３次元的な断面を示す。
【００１９】
図１の打込装置は、１つの手持装置であり、１つのハウジング１９ならびに、このハウジング１９と堅固に結合されている部分的に円筒状の１つの燃焼室壁２を有する１つの燃焼室１を備える。この燃焼室１には、１つのシリンダ３がこの中にガイドされている１つの打込ピストン４と共に接している。この装置の安全機構は、加工対象物（不図示）に着地され、ばねの圧力に対抗して押し付けられる１つの着地スリーブ（Aufsetzhuelse）５を備える。この状態においてのみ、上記の燃焼室における燃焼ガスの点火によって打込工程を開始することができる。さらにこの燃焼室１においては、１つの撹拌プレート（Wirbelplatte）６が配設されており、この撹拌プレートは、点火の前にこの燃焼室１を通って移動することができる。
【００２０】
燃焼室１の底部７は、打込方向と一致する軸に沿って移動可能であり、こうしてこの燃焼室の容積は可変となっている。このためこの底部７は、周回するシーリング８を用いて円筒状の燃焼室壁２に対して密封されている。図１および２においては、シーリング８は、概略的にのみ示されている。本発明でのシーリング８の詳細構成は、図３においてのみ詳細に示されている。
【００２１】
不図示の実施形態例では、上記の底部は、上記のハウジングと堅固に結合されており、そして上記の燃焼室壁は、軸方向に移動可能なスリーブとして形成されている。同様に、不図示の実施形態例では、上記の燃焼室壁は、上記の底部に対して、この底部とこの燃焼室壁との間に、空気および／または燃料用のこの燃焼室の１つの吸／排気開口部が形成されるまで、移動可能となっている。
【００２２】
この底部７は、移動棒９を介して軸方向に移動することができ、ここでこの移動棒９は、この燃焼室の前側の第２の底部にある１つのフィードスルーを通り抜けている。上記の着地スリーブ５の押圧は、まず１つのばねを圧縮し、そして移動棒９に作用して今度は上記の底部７を移動させる。以上により点火に充分な上記の燃焼室の容積がまず拡張される。燃焼室壁に沿ったこの底部の動作では、凝縮した水が定期的に拭われる。この機構がうまく動かなくなることを避けるためには、シーリング８の領域に浸入して氷結する水ができるかぎり少なくなくなければならない。このため、底部７、燃焼室１、およびシーリング８は、特別な変形実施形態を備えており、これについて以下に説明する。
【００２３】
シーリング８は、軸方向で上下に重なっている２つのシーリングリング１０，１１のセットとして形成されている。これら２つのシーリングリング１０，１１は、底部７の外周壁７aでの同じ溝１２に収容されている。これらのシーリングリング１０，１１は、１つの固い材料、ここではスチールから成っている。これらのシーリングリング１０，１１は、溝１２の中に設置することができるようにそれぞれ１つの開いた突当部１３を有している。さらにこの突当部は、これらのシーリングリングを上記の燃焼室壁に所定に押圧することを可能とする。このためこれらのシーリングリングの下側には弾力性のある支持部材１４が、この溝に配設されている。シーリングリング１０，１１の設置の際には、この支持部材１４は、径方向に押圧され、そしてばね弾性的に力が印加される。これらのシーリングリング１０，１１の突当部１３は、周方向で互いにずれて配向されている。図３に示す実施形態では、前側のシーリングリング１１の突当部１３は断面にあり、このためここに見えている。
【００２４】
ここではこれらのシーリングリング１０，１１は、それぞれL形状の断面を有し、この溝の中心面に対して鏡面対称に配設されている。具体的には、これらのシーリングリング１０，１１は同じ部品として形成されていてよい。このL形状の断面のそれぞれの１つの脚部は、溝１２の中へ噛み込んでいる。それぞれのもう１つの脚部は、底部７の周壁７ａと燃焼室壁２との間の間隙１５において軸方向に延伸している。軸方向においてシーリングリング１０，１１のそれぞれの前側の面１０ａ，１１ａは、溝１２の終端面Ｅ１，Ｅ２からそれぞれ突出している。特にこれらの前側の面１０ａ，１１ａは、軸方向において、底部２のそれぞれの終端面Ａ１，Ａ２からも突出している。これらの前側の面１０ａ，１１ａのそれぞれの径方向内側の端部は、９０℃の角度を有するエッジの形状の、鋭いエッジの１つの終端部１０ｂ，１１ｂを有する。ここでこのエッジは、それぞれ底部２の終端面Ａ１，Ａ２の前にある。このエッジの曲率は、好ましくは０．５ｍｍより小さく、具体的には０．２ｍｍより小さい。
【００２５】
上記の底部の移動によって拭われる水をより良好に排出するため、そして間隙１５への水の侵入に伴う水詰まりを避けるために、底部７には１つの凹部１６が設けられている。この凹部１６は、底部７と１つの突当リング１７との間に残る環状の空間として形成されている。完全に拡張された燃焼室では、この底部７は、この突当リング１７によって支持されている。開口部１８を通って、拭われた水がさらにこの突当リングを過ぎて他のハウジング領域へ排出される。
【図１】
0006473821.tif 000002
【図２】
0006473821.tif 000003
【図３】
0006473821.tif 000004